(57)【要約】【課題】  櫛歯部材の基体部材への取着を強固にした染毛剤や整髪料等の塗布櫛を提供すること。【解決手段】  基体と、該基体に取着される櫛歯体とからなり、塗布液を収納する容器に取り付けられて、該容器に収納された塗布液を、複数の櫛歯に設けられた吐出口より吐出する塗布櫛であって、基体は、櫛歯体が取着される面に穿孔された流出路と、該流出路を容器内部に連通する液通路と、側面に係止突起を突設した取付台とを具備し、櫛歯体は、塗布液を流通させ、吐出口に連なる吐出孔を有する櫛歯と、基体に相対する面に複数の櫛歯に設けられた吐出孔を結び、基体の上記液通路に連通する流通溝を有するとともに、その両側面に前記係止突起に係合する係止孔が設けられた取付板を有する基部とを具備していることを特徴とする。【選択図】  図１
2006068114.tif 000002
【特許請求の範囲】
【請求項１】
基体と、該基体に取着される櫛歯体とからなり、塗布液を収納する容器に取り付けられて、該容器に収納された塗布液を、複数の櫛歯に設けられた吐出口より吐出する塗布櫛であって、
基体は、櫛歯体が取着される面に穿孔された流出路と、該流出路を容器内部に連通する液通路と、側面に係止突起を突設した取付台とを具備し、
櫛歯体は、塗布液を流通させ、吐出口に連なる吐出孔を有する櫛歯と、基体に相対する面に複数の櫛歯に設けられた吐出孔を結び、基体の上記液通路に連通する流通溝を有するとともに、その両側面に前記係止突起に係合する係止孔が設けられた取付板を有する基部とを具備していることを特徴とする塗布櫛。
【請求項２】
上記流出路の周囲を囲む溝または突条と、上記流通溝を囲み、上記流出路の周囲を囲む溝または突条と嵌合して液密を保つ突条または溝とを有することを特徴とする請求項１記載の塗布櫛。
【発明の詳細な説明】
【技術分野】
【０００１】
本発明は、塗布櫛、とくに染毛剤、調髪料等の塗布櫛に関するものである。
【背景技術】
【０００２】
染毛剤、整髪料などの塗布櫛として、内部に塗布物の流路を設けた基体部材と、該基体部材に前記流路に連通する流出孔を設けた櫛歯を連設した櫛歯部材とからなる塗布櫛は、従来より知られている（特許文献１参照）。
【特許文献１】特開２００４−１４７９７３号公報
【発明の開示】
【発明が解決しようとする課題】
【０００３】
しかしながら、上記特許文献１記載の塗布櫛においては、櫛歯部材の取付けは、櫛歯（１３）の基板（１２）から突出させた嵌合筒（１４）を、本体部分（１）の嵌合孔（５）に嵌合させるようにしており、普通に使用しているときには何らの支障もきたさないが、誤って櫛歯を卓上の角にぶっつけたり、櫛歯部材と本体部分（１）との間をねじるような力が働くようなことがあると、基板（１２）の嵌合筒（１４）が本体部分（１）の嵌合孔（５）から外れ、櫛歯部材が外れるおそれがあった。
【０００４】
本発明は、上記の事情を考え、櫛歯部材の基体部材への取着を強固にした染毛剤や整髪料等の塗布櫛を提供することを目的とする。
【課題を解決するための手段】
【０００５】
本発明は、上記の課題を解決するため、塗布櫛として、基体と、該基体に取着される櫛歯体とからなり、塗布液を収納する容器に取り付けられて、該容器に収納された塗布液を、複数の櫛歯に設けられた吐出口より吐出する塗布櫛であって、基体は、櫛歯体が取着される面に穿孔された流出路と、該流出路を容器内部に連通する液通路と、側面に係止突起を突設した取付台とを具備し、櫛歯体は、塗布液を流通させ、吐出口に連なる吐出孔を有する櫛歯と、基体に相対する面に複数の櫛歯に設けられた吐出孔を結び、基体の上記液通路に連通する流通溝を有するとともに、その両側面に前記係止突起に係合する係止孔が設けられた取付板を有する基部とを具備していることを特徴とする構成を採用する。
【０００６】
基体と櫛歯体との間の液密性を保つために、上記構成に付加して、上記流出路の周囲を囲む溝または突条と、上記流通溝を囲み、上記流出路の周囲を囲む溝または突条と嵌合して液密を保つ突条または溝とを有することを特徴とする構成を採用する。
【発明の効果】
【０００７】
基体と、櫛歯体を別体とし、基体の取付台両面に係止突起を設け、櫛歯体の基部両側に取付板を設け、該取付板に前記係止突起に係合する係止部を設けたから、櫛歯体の取付が強固となり、使用時に櫛歯体が外れることを防止できた。
【発明を実施するための最良の形態】
【０００８】
次に、本発明の塗布櫛を染毛剤塗布容器に用いた塗布櫛とした実施例について、図面を参照して説明する。
【実施例１】
【０００９】
図１において、Ａは染毛液を混合する容器、Ｂは櫛取付キャップ、Ｃは塗布櫛である。
混合容器Ａは、内側層と外側層とからなるデラミ容器であって、大気導入孔を設けた口部１とスクイズ可能な胴部２を具えており、口部１の上端には、弁体３を取付けた中栓４が装着されている。
【００１０】
櫛取付キャップＢは、容器Ａの口部１に螺合される側周壁５と、中栓４を保持するとともに、中央に塗布櫛Ｃを支持する支持筒６を立設した櫛支持部７とを具えている。
容器Ａと中栓４、櫛取付キャップＢの構成については、様々なものが知られており、本発明の容器Ａと櫛取付キャップＢは、従来公知のものを採用することができるので、上記実施例に限定されない。
【００１１】
図１〜３に示すように、塗布櫛Ｃは、基体Ｃ１と、基体Ｃ１に取着された櫛歯体Ｃ２とからなっている。
基体Ｃ１は、中央に液通路１０を穿孔した筒体１１を具えており、筒体１１の下方は、前記支持筒６に嵌着される取付筒部１２と、櫛支持部７を覆う傘状カバー１３とが設けられている。
【００１２】
図２、４に示すように、筒体１１の上方部は櫛取付部１４となっており、該櫛取付部１４は、図３に示すように、筒体１１に続く半円筒部１１ａと、筒体１１の円周面から突出する断面角形の取付台１５とからなっている。
取付台１５は、頂面１６と側面１７とを具えており、側面１７の筒体１１寄り（櫛歯とは反対側）の辺に沿って半円筒部１１ａから突出する支え板１８が設けられている。
【００１３】
櫛取付部１４の上端は、頂壁１９となっており、その側部は、支え板１８に続く位置決め板２０となっている。
取付台１５の下端は、支え板１８に続く位置決め板２１が設けられており、上下の位置決め板２０、２１の間で、櫛歯体Ｃ２が所定の位置に取着されるようになっている。
取付台１５の頂面１６中央には、櫛歯に対応して位置し、液通路１０に連通する流出路２２が穿孔され、該流出路２２を囲むように係止溝２３が刻設されている。
【００１４】
両側面１７には、櫛歯に対応するように位置する所定数の係止突起２４が突設されており、係止突起の櫛歯側には、傾斜面２５が設けられている。
【００１５】
図２、５に示すように、櫛歯体Ｃ２は、上下端の中実櫛歯２６と、その間に配列され、根本部を共通する基部２７によって連結され、内部に吐出孔２８を設けた櫛歯２９、および基部２７の両側から連設された取付板３０とからなっている。
基部２７の内側面には、各櫛歯２９の吐出孔２８を結び、基体Ｃ１の流出路２２に連通する流通溝３１が設けられており、基体Ｃ１の係止溝２３に嵌合し、内部を密封する密封突条３２が、該流出溝３１を囲んで突設されている。
【００１６】
各櫛歯２９は、中央の上下面に突条３３が設けられており、中心部には、前記吐出孔２８が穿孔されており、その先端には、吐出孔２８に交差する流路が上下方向に貫通し、櫛歯２９の上下に吐出口３４が開口されている。
櫛歯２９の先端は、中央ほど短くなっており、全体として緩やかな曲線を描いているので、頭部の形状に合わせて使用し易くなっている。
【００１７】
取付板３０には、基体Ｃ１の取付台１５に突設された係止突起２４に嵌合する複数の係止孔３５が穿孔されており、取付板３０の内側面には、傾斜面３６が設けられている。
【００１８】
上記実施例では、基体Ｃ１に、その取付台１５の頂面１６に穿孔された流出路２２を囲むように係止溝２３を設け、櫛歯体Ｃ２に、その流通溝３１を囲み基体Ｃ１の係止溝２３に嵌合する密封突条３２を設けているが、基体Ｃ１の係止溝２３に変えて突条を設け、櫛歯体Ｃ２の密封突条３２に変えて上記突条に嵌合する溝を設けるようにしてもよい。  
【００１９】
次に、本発明塗布櫛の作用効果について説明する。
塗布櫛Ｃの組立は、櫛歯体Ｃ２の取付板３０の係止孔３５を、基体Ｃ１の取付台１５の側面１７に設けた係止突起２４に嵌合させることによって取着される。
【００２０】
取付にあたって、櫛歯体Ｃ２の取付板３０の端部を、取付台１５の上下端の位置決め板２０、２１によって接合させて位置決めし、櫛歯体Ｃ２を基体Ｃ１に押圧するようにして取着する。
その際、係止突起２４の傾斜面２５と取付板３０の下端の傾斜面３６が接することによって、取付板３０を開くように力が働いて案内され、押込みが容易に行われる。
取着されたときには、係止突起２４の下面と、取付板３０の係止孔３５が当接して抜け外れが完全に防止される。
【００２１】
そして、櫛歯２９の両側の取付板３０が取付台１５の係止突起２４に嵌合されるので、ガタつくことはなく、さらに、密封突条３２が係止溝２３に嵌合することによって、基体Ｃ１の頂面１６と、櫛歯２９の基部２７との間が密封される。
【実施例２】
【００２２】
次に、櫛歯体の係合部の構成を変更した第２実施例について説明する。
前記第１実施例では、櫛歯両側の取付板に係止孔を設けて係止突起に係合するようにしたが、本実施例は、各櫛歯の下部延長部に、基体の係止突起に係止する連杆を設けたものである。
以下、相違点を中心に説明する。
【００２３】
図６に示すように、基体Ｃ１の取付台１５の側面１７の櫛歯２９の間に対応する位置に櫛歯列を傾斜面とした係止突起４０が設けられ、櫛歯体Ｃ２の各櫛歯２９の側部４１が基部２７の両側より櫛歯とは反対側に向かって更に延びることで脚部４２が形成される。
脚部４２の下端は、隣り合う櫛歯２９の脚部４２をそれぞれ結ぶ連杆４３となっており、脚部４２と連杆４３によって取付部４４が形成されている。
連杆４３の内側面には傾斜面が形成され、係止突起４０の傾斜面と係合し、取付にあたって、取付部４４を開くような力が働き、案内されるようになっている。
【００２４】
櫛歯体Ｃ２の取付けにあたっては、両側の連杆４３を基体Ｃ１の係止突起４０に係合させ、両者は一体化される。
一体化にあたっては、前記第１実施例と同等の作用効果を得ることができる。
【００２５】
前記各実施例では、塗布櫛は、染毛剤塗布用の櫛について説明したが、整髪料用の塗布櫛等、櫛歯内の液通路を通じて内容物を吐出し、塗布するものであればよい。
【産業上の利用可能性】
【００２６】
櫛歯の吐出口より塗布液を吐出する櫛歯を基体に強固に取付けることができるので、染毛剤や整髪料等の塗布櫛、ブラシ等として利用することができる。
さらには、櫛歯体と柄等の基体を別体として取着する櫛体、ブラシ等にも広範囲に利用することができる。
【図面の簡単な説明】
【００２７】
【図１】染毛剤塗布具の一部断面正面図である。
【図２】塗布櫛の説明図で、（ａ）は正面図、（ｂ）は正面断面図である。
【図３】塗布櫛の説明図で、（ａ）は上面図、（ｂ）は第２図（ｂ）のＡ−Ａ線における横断面図である。
【図４】基体と説明図で、（ａ）は正面図、（ｂ）は側面図、（ｃ）は図（ａ）のＡ−Ａ線における横断面図である。
【図５】櫛歯体の説明図で、（ａ）は正面図、（ｂ）は図（ａ）のＡ−Ａ線における横断面図である。
【図６】第２実施例の塗布櫛の説明図で、（ａ）は正面図、（ｂ）は図（ａ）のＡ−Ａ線における横断面図である。
【符号の説明】
【００２８】
Ａ          容器
Ｂ          櫛取付キャップ
Ｃ          塗布櫛
Ｃ１        基体
Ｃ２        櫛歯体
１０        液通路
１１        筒体
１４        櫛取付部
１５        取付台
１６        頂面
１７        側面
１８        支え板
１９        頂壁
２０、２１  位置決め板
２２        流出路
２３        係止溝
２４        係止突起
２５、３６  傾斜面
２６        中実櫛歯
２７        基部
２８        吐出孔
２９        櫛歯
３０        取付板
３１        流通溝
３２        密封突条
３３        突条
３４        吐出口
３５        係止孔
４０        係止突起
４１        側部
４２        脚部
４３        連杆
４４        取付部
【図１】
2006068114.tif 000003
【図２】
2006068114.tif 000004
【図３】
2006068114.tif 000005
【図４】
2006068114.tif 000006
【図５】
2006068114.tif 000007
【図６】
2006068114.tif 000008